(57)【要約】【課題】  二重管を用いて削孔した孔内に水抜き管（水抜き管）を配置して排水をする際に、二重管の外管を引き抜くと、水抜き管が一緒に引き出され、及び／又は、水抜き管が捻れてしまうのを防止することが出来る様な水抜き管配設工法の提供。【解決手段】  削孔管で地盤Ｇを削孔する削孔工程と、削孔管２内に水抜き管４を挿入する水抜き管挿入工程と、削孔管２を回転しながら引き抜く削孔管引抜工程とを有し、該削孔管引抜工程では、水抜き管４の先端部に線状部材２４を接続し、該線状部材２４の先端側を固定して、該線状部材２４に張力を付与した後に、削孔管を引き抜く。【選択図】図１
2006283484.tif 000002
【特許請求の範囲】
【請求項１】
削孔管で地盤を削孔する削孔工程と、削孔管内に水抜き管を挿入する水抜き管挿入工程と、削孔管を回転しながら引き抜く削孔管引抜工程とを有し、該削孔管引抜工程では、水抜き管の先端部に線状部材を接続し、該線状部材の先端側を固定して、該線状部材に張力を付与した後に、削孔管を引き抜くことを特徴とする水抜き管配設工法。
【請求項２】
削孔管で地盤を削孔する削孔工程と、削孔管内に水抜き管を挿入する水抜き管挿入工程と、削孔管を回転しながら引き抜く削孔管引抜工程とを有し、該削孔管引抜工程では、水抜き管の内側に剛性部材を挿入し、剛性部材の先端側を固定した後に削孔管を引き抜くことを特徴とする水抜き管配設工法。
【請求項３】
前記剛性部材は、全長に亘りネジ部を形成した部材である請求項２の水抜き管配設工法。
【請求項４】
削孔管で地盤を削孔する削孔工程と、削孔管内に水抜き管を挿入する水抜き管挿入工程と、削孔管を回転しながら引き抜く削孔管引抜工程とを有し、該削孔管引抜工程では、水抜き管の先端部に線状部材を接続すると共に、中空の剛性部材を当接し、剛性部材の内部に線状部材を通し、該線状部材に張力を付与した後に、削孔管を引き抜くことを特徴とする水抜き管配設工法。
【請求項５】
削孔管の先端領域に薬液注入を行う請求項１〜４の何れか１項の水抜き管配設工法。
【請求項６】
水抜き管の先端部にストッパ手段が設けられている請求項１〜５の何れか１項の水抜き管配設工法。
【発明の詳細な説明】
【技術分野】
【０００１】
本発明は、地盤、特に砂の多い地盤から地下水を排出する工法に関し、より詳細には、地盤から排水するための水抜き管（水抜き管）を配設する工法に関する。
【背景技術】
【０００２】
削孔管として、例えば同心の外管と内管とから成る二重管を用い、二重管削孔機械により削孔する技術は公知である（例えば、特許文献１参照）。
【０００３】
近年、都市部における土木工事（都市土木）でも、二重管等の削孔管により削孔する工事が施工されている。
ここで、都市土木では、埋立地が多い関係で、砂が多い地盤に対して上述の二重管により削孔する事例が多くなっている。
【０００４】
二重管で削孔した孔により、地盤から水抜きを行うに際しては、
１．  二重管先端から地盤を強化させるための薬液を注入し、
２．  薬液注入完了後、二重管の内管を引き抜き、
３．  ドレーンパイプ（水抜き管）をソケットで継ぎ足しつつ、二重管の外管内側へ挿入し、薬液注入した領域まで差し込み、
４．  二重管の外管を引き抜く
という手順で行われる。
これによって、地下水は、ドレーンパイプの管壁を透過して、ドレーンパイプ内部を水路として流れて、ドレーンパイプの羽口側（地上側）端部から地盤外部に排出される。
【０００５】
ここで、地盤が流動性に富む地盤（例えば砂地盤）の場合、二重管の外管を削孔した孔から引き出す際に、ドレーンパイプ（水抜き管）が外管と一緒に引き出されてしまうという問題が発生する。
その様な問題について、図３２、図３３を参照して説明する。なお、図３２、３３は前記１〜３の工程を経た後の従来の外管２と水抜き管４との関係を示した説明図であって、図３２は管の側断面を示し、図３３は拡大した正面図を示している。
図３２において、地盤Ｇの図においては左端の深部の薬液注入領域Ｇｓに配置された水抜き管４の管外方部から流入した土砂Ｓが水抜き管４と外管２との間の環状空間Ｃを充填し、そして流入した土砂Ｓが締まると、いわゆる「噛んだ」状態となってしまい、水抜き管４と外管２の両者を固定して、外管２のみ引き出すことを困難にする。
【０００６】
前記４の工程で外管２を地盤Ｇの外部に引き抜く際に、外管２の引き抜き当初は、外管２の切羽側（先端側）端部が薬液注入を行った領域Ｇｓを移動するので、土砂Ｓが外管２と水抜き管４の間の環状空間に流れ込むことは無い。しかし、薬液注入を行った領域Ｇｓを抜け出すと、土砂Ｓが外管２と水抜き管４の間の環状空間Ｃに流れ込み、前記図３２、図３３の状態によって土砂Ｓが締まることになる。
【０００７】
この結果、外管２を引き抜くと、それと共に水抜き管４が連結具である継ぎ足し用ソケットから外れて、地上側に引き出されてしまう。
また、外管２を回転しながら引き抜く際に、水抜き管４がソケットから外れない場合には、水抜き管４が捻れて水路５を閉鎖してしまう不具合が発生する。特に、ソケットの固定をビス止めで行う継ぎ手方法を採用した場合には、（前記図３２、図３３の状態によって土砂Ｓが締まった場合には）水抜き管同士の確実な連結が、却って水抜き管４が捻れてしまう原因となってしまう。
【特許文献１】特開２００４−５２４３７号公報
【発明の開示】
【発明が解決しようとする課題】
【０００８】
本発明は上述した従来技術の問題点に鑑みて提案されたものであり、削孔管（例えば二重管）を用いて削孔した孔内に水抜き管（ドレーンパイプ）を配置して排水をする際に、削孔管を引き抜く際に（例えば二重管の外管を引き抜く際に）、水抜き管が一緒に引き出され、及び／又は、水抜き管が捻れてしまうのを防止することが出来る様な水抜き管配設工法の提供を目的としている。
【課題を解決するための手段】
【０００９】
本発明の水抜き管配設工法は、削孔管（例えば二重管）で地盤（Ｇ）を削孔する削孔工程と、削孔管（例えば二重管の外管２）内に水抜き管（４：ドレーンパイプ）を挿入する水抜き管挿入工程と、削孔管（２）を回転しながら引き抜く削孔管引抜工程とを有し、該削孔管引抜工程では、水抜き管（４）の先端部に線状部材（例えば、ワイヤ２４）を接続し、該線状部材（２４）の先端側を固定して、該線状部材（２４）に張力を付与した後に、削孔管を引き抜くことを特徴としている（請求項１）。
ここで、線状部材（２４）の先端側を固定するには、例えば、水抜き管（４）の先端部にストッパ部材（７）を設け、削孔工程に際して削孔管先端から薬液を注入し、薬液を注入した領域（Ｇｓ）にストッパ部材（７）を固定し、ストッパ部材（７）に線状部材（２４）を接続することが好ましい。
【００１０】
また本発明の水抜き管配設工法は、削孔管（例えば二重管）で地盤（Ｇ）を削孔する削孔工程と、削孔管（例えば二重管の外管２）内に水抜き管（４：ドレーンパイプ）を挿入する水抜き管挿入工程と、削孔管（２）を回転しながら引き抜く削孔管引抜工程とを有し、該削孔管引抜工程では、水抜き管（４）の内側に剛性部材（２２：例えば鋼管）を挿入し、剛性部材（２２）の先端側を固定した後に削孔管（２）を引き抜くことを特徴としている（請求項２）。
ここで、剛性部材（２２）の先端側を固定するには、例えば、水抜き管（４）の先端部にストッパ部材（７）を設け、削孔工程に際して削孔管先端から薬液を注入し、薬液を注入した領域（Ｇｓ）にストッパ部材（７）を固定し、ストッパ部材（７）に剛性部材（例えば、鋼管２２）を結合（例えば、螺合）して行うことが好ましい。この場合、前記剛性部材（２２）の先端にはねじ部が形成されており、ストッパ部材（７）には当該ねじと螺合するねじ部が形成されており、剛性部材（２２）同士は溶接その他の加工手段により、一体的に結合して連結されるのが好ましい。
また、削孔管引抜工程の後に、剛性部材（２２）を回転してストッパ部材（７）との螺合を解除することが出来る。
【００１１】
ここで、前記剛性部材は、全長に亘りネジ部を形成した部材（例えば、ネジ付き鋼棒２６）で構成することが出来る。
この場合、全長に亘りネジ部を形成した部材（２６）の先端側を固定するには、例えば、水抜き管（４）の先端部にストッパ部材（７）を設け、削孔工程に際して削孔管先端から薬液を注入し、薬液を注入した領域（Ｇｓ）にストッパ部材（７）を固定し、全長に亘りネジ部を形成した部材（２６）をストッパ部材（７）に螺合して行うことが好ましい。
【００１２】
削孔管引抜工程の後に、全長に亘りネジ部を形成した部材（２６）を回転してストッパ部材（７）との螺合を解除する工程を実行することが出来る。
そして、全長に亘りネジ部を形成した部材（２６）は、その長手方向の外力（引張り力、圧縮力）は伝達するが回転力は伝達しない接続部材により接続されていると共に、全長に亘りネジ部を形成した部材（２６）同士は、その端部の接合箇所により回転を伝達する様に接続されているのが好ましい。
【００１３】
さらに本発明の水抜き管配設工法は、削孔管（例えば、二重管）で地盤（Ｇ）を削孔する削孔工程と、削孔管（例えば二重管の外管２）内に水抜き管（４：ドレーンパイプ）を挿入する水抜き管挿入工程と、削孔管（２）を回転しながら引き抜く削孔管引抜工程とを有し、該削孔管引抜工程では、水抜き管（４）の先端部に線状部材（２４：例えば、ワイヤ）を接続すると共に、中空の剛性部材（２２：例えば、鋼管）を当接し、剛性部材（２２）の内部に線状部材（２４）を通し、該線状部材（２４）に張力（緊張力）を付与した後に、削孔管（２）を引き抜くことを特徴としている（請求項４）。
ここで、水抜き管（４）の先端部に線状部材（２４）を接続するには、例えば、水抜き管（４）の先端部にストッパ部材（７）を設け、削孔工程に際して削孔管先端から薬液を注入し、薬液を注入した領域（Ｇｓ）にストッパ部材（７）を固定し、ストッパ部材（７）に線状部材（２４）を接続して行うことが好ましい。
【００１４】
本発明の実施に際して、削孔管（例えば二重管）の先端領域に薬液注入を行うのが好ましい（請求項５）。
【００１５】
また、水抜き管（４）の先端部にストッパ手段（７）が設けられているのが好ましい（請求項６）。
【発明の効果】
【００１６】
上述した様な構成を具備する本発明によれば、削孔管引抜工程では、水抜き管の先端部に線状部材（例えば、ワイヤ）を接続し（例えば、水抜き管先端にストッパ部材を設け、該ストッパ部材を薬液を注入した領域で固定した状態で線状部材を接続している）、該線状部材に張力（緊張力）を付与した後に、削孔管（例えば、二重管の外管）を引き抜いているので（請求項１）、削孔管を羽口側に引き抜くことにより付加される引張力は線状部材にのみ作用し、水抜き管には作用しなくなる。そのため、施工現場が砂質の土壌であり、削孔管と水抜き管との間の環状空間に土砂が流入して締まった状態となり、削孔管と水抜き管とが固定されてしまったとしても（いわゆる「噛んだ」状態）、削孔管を引き抜こうとする力は水抜き管には作用せず、線状部材が受け持つこととなる。そのため、水抜き管が削孔管と一緒に抜け出てしまうことが防止される。
【００１７】
そして、水抜き管が削孔管（例えば、二重管の外管）と一緒に抜け出してしまうことが防止されるため、水抜き管を継ぎ足すソケットと水抜き管とをビス止め等する必要が無くなる。従って、削孔管引抜工程で削孔管を回転しても、当該回転は水抜き管とソケットとが空回りすることにより、水抜き管には伝達されない。そのため、削孔管引抜工程で水抜き管が捻れたり、場合によっては捻じ切れてしまう事が防止される。
【００１８】
本発明において、剛性部材（２２）の先端側を固定（例えば、水抜き管４の先端部にストッパ部材７を設け、削孔工程に際して削孔管先端から薬液を注入し、薬液を注入した領域Ｇｓにストッパ部材７を固定し、固定されたストッパ部材７に剛性部材２２を螺合する）した後に、削孔管（二重管の外管）を引き抜く様に構成すれば（請求項２）、削孔管を羽口側に引き抜くことにより付加される引張力は剛性部材にのみ作用し、水抜き管には作用しない。そのため、削孔管と水抜き管との間の環状空間に土砂が流入して締まった状態（いわゆる「噛んだ」状態）となっても、削孔管を引き抜こうとする力は剛性部材が受け持つので、水抜き管が削孔管と一緒に抜け出てしまうことが防止される。
【００１９】
そして、水抜き管が削孔管（二重管の外管）と一緒に抜け出してしまうことが防止されるため、水抜き管を継ぎ足すソケットと水抜き管とをビス止め等する必要が無くなり、水抜き管とソケットとが空回りする可能な構造を採用できる。従って、削孔管引抜工程で削孔管を回転しても、水抜き管が捻れたり、捻じ切れてしまう事が防止される。
【００２０】
また、剛性部材は押圧力も支持することが出来るので、切羽側に向って押圧力を作用させる必要性が生じた場合（例えば、水抜き管先端に設けたストッパ部材を押圧する必要が生じた場合）において、剛性部材を介して羽口側或いは地上側から押圧力を付与することが可能となる。
【００２１】
ここで、前記剛性部材として、全長に亘ってねじ部を形成した剛性部材（例えば、ネジ付き鋼棒）を採用すれば（請求項３）、例えば鋼管等の剛性部材を使用する場合と同様に、削孔管を羽口側に引き抜く際の引張力を水抜き管に作用させなくすることが出来ると共に、当該剛性部材により、押圧力も支持することが出来る（例えば、水抜き管先端に設けたストッパ部材を押圧する必要が生じた場合等に対処することが出来る）。
そして、全長に亘ってねじ部を形成した剛性部材（例えば、ねじ付き鋼棒）は再利用が可能であるため、本発明の施工コストの低減に寄与することが出来る。
【００２２】
また本発明において、水抜き管（４）の先端部に線状部材（２４）を接続する（例えば、水抜き管４の先端部にストッパ部材７を設け、削孔工程に際して削孔管先端から薬液を注入し、薬液を注入した領域Ｇｓにストッパ部材７を固定し、ストッパ部材７に線状部材２４を接続して行う）と共に、中空の剛性部材（例えば、鋼管）を当接し、剛性部材の内部に線状部材を通し、該線状部材に張力（緊張力）を付与した後に、削孔管（二重管の外管）を引き抜く様に構成すれば（請求項４）、削孔管を羽口側に引き抜くことにより付加される引張力は線状部材にのみ作用し、水抜き管には作用しない。
そのため、削孔管と水抜き管とが固定されても（いわゆる「噛んだ」状態となっていても）、水抜き管が削孔管と一緒に抜け出てしまうことが防止される。
【００２３】
そして、水抜き管が外管と一緒に抜け出してしまうことが防止されるため、水抜き管を継ぎ足すソケットと水抜き管とをビス止め等する必要が無くなり、水抜き管とソケットとが空回りする可能な構造を採用できる。従って、削孔管引抜工程で削孔管を回転しても、水抜き管が捻れたり、捻じ切れてしまう事が防止される。
【００２４】
また、切羽側を押圧する必要が生じた場合（例えば、水抜き管先端に設けたストッパ部材を押圧する必要が生じた場合）において、剛性部材により押圧力も支持することが出来るので、剛性部材を介して羽口側或いは地上側から押圧力を付与することが可能となる。
【発明を実施するための最良の形態】
【００２５】
以下、添付図面を参照しつつ、本発明の実施形態について説明する。
先ず、図１〜図２７を参照して、本発明の第１実施形態を説明する。
図１は、本発明で使用する水抜き管固定装置１を示していて、外管２と図示しない内管とからなる２重管により地盤Ｇに削孔された孔２ａに埋設された外管２と、外管２の内部最深部の薬液注入領域Ｇｓに配置されたストッパ部材７と、ストッパ部材７の後部即ち羽口Ｐ方向に配置された剛性部材であるガイド鋼管２２と、ガイド鋼管２２の半径方向外方に配置された水抜き管４と、水抜き管４の外部に取付られたセンタライザー３７と、鋼管２２の内部に配置された線状部材のワイヤ２４と、ワイヤ２４の端部に取付けられるキャップ４０とで主要部が構成されている。
【００２６】
なお、上記構成において、ガイド鋼管２２のない構成が上述した請求項１に相当し、端部にねじを設けたガイド鋼管２２があってワイヤ２４がない構成が上述した請求項２に相当し、ガイド鋼管２２とワイヤ２４がある構成が請求項３に相当している。
【００２７】
ストッパ部材７は、正面を示す図２及び側面を示す図３において、端部に円錐状の頭部７ａを付けた管状部８の前部近傍に半径方向外方かつ、地盤Ｇの羽口Ｐ方向にのびる図においては６枚の羽根部９が取付けられている。
羽根部９の半径方向外端部は、半径方向内方に屈曲して形成され、羽根部９の弾性によって外管２内に挿入容易にせしめている。また外管２を引き抜いた状態では、削孔された孔２ａにストッパ部材７が同心に位置するよう、かつ地盤Ｇ外への抜け止めとなるよう構成されている。
【００２８】
管状部８の軸線方向のほぼ中央部に鍔部８ａが付設され、ストッパ材７の外周に取付けられる水抜き管４の端部位置をきめるよう構成されている。
鍔部８ａの地盤Ｇの羽口Ｐ方向の近傍に孔１０が形成され、図１に示すように、水抜き管４をボルト１０Ａで管状部８に固定するよう構成されている。
【００２９】
また、管状部８の開放端部近傍に管状部８の内径にフック座１１を備えた円板１１ａが固着され、フック座１１にワイヤ２４を繋着させる回動フック１２が軸心まわりに回動自在に取付けられている。
また、管状部８の開放端部外部に雄ねじ部１３が逆ねじで設けられている。
【００３０】
図４は、管状部８の雄ねじ部１３に螺結する雌ねじ部１４を備えた筒状のキャップ１５を示しており、キャップ１５の端部板１６にワイヤ２４が貫通する孔１７が設けられている。
キャップ１５内にグリースが充填されており、管状部８に螺結された状態で外部からの土砂の浸入を防ぎ、以って回動フック１２の回動機能が減じないように構成されている。
【００３１】
図５は、水抜き管４を示している。
例えば、標準物性として空隙率７０％以上、透水係数０．２１、粗度係数０・０１６のファイバーで構成されていて、標準長さ２ｍのものを図６に示す樹脂製のソケット６で連結して所定長さで使用する。外径Ｄｏは外管２との間に例えば従来の約５倍の２５ｍｍ程度の充分な隙間を形成できるように、また削孔された孔２ａ（図１）との間に後記するセンタライザー３７の取付けを配慮した適宜充分な空間を有するよう形成され、内径Ｄｉは水路として充分に作用するよう形成されている。
【００３２】
図６は、ソケット６を示していて、筒状体に水が通過する複数の窓６ａが設けられ、外周面に鋸歯状の突起６ｂが中央を挟んで向かい合うように設けられている。
【００３３】
図７は、水抜き管４、４のソケット６による連結状態を示しており、工事完成時には除外される剛性部材の鋼管２２の外周に水抜き管４、４が配置され、その連結部にソケット６が突起６ｂを抜け止として取付けられた状態である。
【００３４】
水抜き管４の外周部に適宜の距離をおいて取付けられるセンタライザー３７は、正面を示す図８及び側面を示す図９において、端部にクリップ３８ａで開口した輪体部３８と、その端部に半径方向外方かつ羽口Ｐ方向にのびる図においては４枚の羽根部３９が取付けられて構成されている。
【００３５】
羽根部３９の半径方向外端部は、半径方向内方に屈曲した屈曲部３９ａが形成され、羽根部３９が弾性によって外管２内に水抜き管４の配置が外管２と同心に、挿入容易に、また外管２を引き抜いた最終完成状態では削孔された孔２ａに水抜き管４が同心に位置するよう、かつ抜け止めとなるよう構成されている。
【００３６】
図１０は、剛性部材の鋼管２２を示していて、外径Ｄｍが水抜き管４の内径Ｄｉより僅かに小さく遊嵌めできるように形成され、管端に雄ねじ２２ａ、雌ねじ２２ｂが設けられていて、連結可能に構成されている。装着時は、雌ねじ２２ｂがストッパ部材７に向くように配置される。
なお、鋼管２２のうち、ストッパ７に連結する切羽側最先端のものは、ワイヤ２４と組み合わせて使用する場合（請求項３に相当する図１の構成）ではねじ山が形成されている必要は無い。それに対して、ワイヤ２４を設けない場合（上述した請求項２の構成を採用した場合）には、鋼管２２先端に逆ねじとなった雌ねじを形成し、鋼管２２に対して右回りの回転を負荷した場合、鋼管２２同士は締まって確実に回転力を伝達し、ストッパ２４の雄ねじと鋼管２２先端の雌ねじとの螺合が解除されるように構成されている。
【００３７】
図１１は、長ボルト２６を示していて、単品を図示しない線状体のワイヤ２４に連結してワイヤ２４に張力を付与する機能を有するように構成されている。そして、端部に回動フック３２がフック座２７ａを介して頭部２７に回動自在に取付けられ、頭部２７はねじ部２６ａに固定されている。
【００３８】
図１２及び１３は、鋼管２２とともにワイヤ２４に張力を付与するための横向きハット状のキャップ４０を示している。その頂部に前記長ボルトのねじ部２６ａが貫通する孔４２が設けられ、開口側に水抜き管固定装置１が組まれた段階には水抜き管４の端部をストッパ部材７の方向に抑える機能を有するフランジ４１が設けられている。
【００３９】
図１４〜図１８は、工法の最終段階で鋼管２２を引き抜く際に水抜き管４が共に抜け出すことを防ぐために、削孔された孔２ａの羽口Ｐに設ける水抜き管抑え機構を示している。ここで、ワイヤ２４のみを設け、鋼管２２は設けない場合（上述の請求項１の構成を採用した場合）には、図１４〜図１８を参照して説明する構成は不必要となる。
詳細を明示しない止水ボックスの外板４６にフランジ４８付の筒体４７が固定され、フランジ４８に相対する円板５１と、円板５１に取付けられた下、上部バンド５２、５３とでバンド取付部５０が構成されている。
【００４０】
両バンド５２、５３はそれぞれ半円孤と締結用の平面部５２ａ、５３ａを備え、下部バンド５２は円板５１に固着されている。上部バンド５３は図１７、１８に示すように、円弧内面に弾性材の抑え５４が取付けられている。両バンド５２、５３の形成する内径は、水抜き管４を締め付けるような寸法になっている。
【００４１】
図１９、２０は、工法の最終段階で鋼管２２を引き抜く際の鋼管引き抜き部材６１を示している。平板状でフック用孔６２ａを備えたフック部６２にフランジ６５が固定され、フランジ６５に鋼管２２の雄ねじに螺合する雌ねじ６４を設けた筒部６３が固定されている。
【００４２】
上記各部材を準備して本発明の水抜き管配設工法を、図１〜図２０で説明した各部材を使用した工法を示す図２１〜図２７を参照して以下に説明する。
【００４３】
図２１は、水平水抜き施工のための削孔作業を示している。削孔機能を有する機械Ｍａによって外管２と内管３ａによる２重管３によって、羽口Ｐの横方向の所定位置まで削孔を行う。この工程が削孔工程である。
【００４４】
図２２は、２重管３の内管３ａを介して削孔先端部に水ガラス等の止水薬液を注入する薬液注入工程の作業を示している。
【００４５】
図２３は、内管３ａを外部に引き出す状態を示している。この工程が内管引き抜き工程である。
【００４６】
次に工法の準備工程を説明する。
図２４は外管２内に水抜き管４、鋼管２２及びワイヤ２４等を挿入して設置する状態を示している。この工程が水抜き管４挿入工程である。なお、上述した請求項１の形態では、鋼管２２の設置作業は省かれる。
【００４７】
第１段階として、ストッパ部材７の後部にある回動フック１２（図１、３）にワイヤ２４をクリップ２４ａによって結合する。この回動フック１２によってワイヤ２４に捻れが生じることが防止される。
【００４８】
第２段階として、カバー１５をストップ部材７の端部にある雄ねじ部１３に螺結する。カバー１５は、鋼管２２その他との干渉による回動フック１２の損傷を防止することと、回動フック１２が土砂によって回動不能にならぬような機能を有している。そのために、カバー１５内にグリース充填が行われる。
【００４９】
第３段階として、水抜き管４に鋼管２２を通し、鋼管２２内にワイヤ２４を通す。
【００５０】
なお、後述するように、外管引き抜きに際しては外管２を回転しながら引き抜くが、この引張り力は、鋼管２２内に通したワイヤ２４で受け持つので、水抜き管４がソケットから外れて抜けてしまうことが無い。
【００５１】
また、外管２の回転に対しては、ソケット６が空回りする。その結果、外管２を回転しても、水抜き管４が捻れてしまう事が無く、当該回転により、ソケット６から水抜き管４が外れたり、捻れたりすることは無い。
【００５２】
ここで、外管２を回転しながら引き抜く際に、水抜き管４に押し込み力を作用させる場合がある。しかし、水抜き管４を押し込むことは出来ない。水抜き管４は繊維質材料（ファイバー）で構成された柔軟材なので押し込み力が作用すると、座屈してしまう。
そして、前記ワイヤでは、水抜き管４に作用する押し込み力を担当することが出来ない。
これに対して、図示の実施形態では、鋼管２２が押し込み力を受け持つので、係る押し込み力を作用させなければならない場合に対処することが出来る。
【００５３】
次に第４段階として、水抜き管固定装置１の先端としてストッパ７を固定する
【００５４】
次に第５段階として、図２４に示すように、ストッパ部材７を先頭にして外管２内に、水抜き管４と鋼管２２とワイヤ２４を挿入する。
挿入に際して、ストッパ部材７の羽根部９とセンタライザー３７の羽根部３９が心出しをし、かつ摺動抵抗を軽減して容易に挿入できる。センタライザー３７により、水抜き管４は二重管外管２の管壁内面に対して点接触しているため、総重量１００ｋｇ程度の水抜き管であっても、人手により押し込める。
【００５５】
このとき、先頭の水抜き管４はストッパ部材７にボルト１０Ａによって固定する。また水抜き管４には適宜の間隔でセンタライザー３７が取付けられ、継ぎ足しの連結部はソケット６で連結される。
【００５６】
また、図示の構造（請求項３の構成）では、先頭の鋼管２２はストッパ部材７へ当接させているが、ワイヤ２４を使用しない構造（請求項２の構造）を採用する場合には、カバー１５を使用せずに、ストッパ部材７に設けられた逆ねじ（左ねじ）の雄ねじ部１３に、先端の鋼管２２の逆ねじ（左ねじ）で構成された左雌ねじを螺合させる。
鋼管４の継ぎ足し締結は、通常の右ねじ螺合によって行うが、鋼管２２同士を溶接により結合しても良い。
【００５７】
ワイヤ２４の後端部は、長ボルト２６（図１１）の回動フック３２にクリップ２４ａによって結合する。
【００５８】
そして、最終の水抜き管４を連結した後に、最後の鋼管２２の後端部にキャップ４０を当て、長ボルト２６を孔４２に貫通させ、ナット４４で固定させる。そして、ナット４４を締め付けて、ワイヤ２４を緊張させる。
以上で水抜き管固定装置１の所定配置が終了する。
【００５９】
次に、図２５に示すように、削孔機能を有する機械Ｍａを用いて、二重管の外管を時計回りに例えば２０回転させたあとで、回転しながら引き抜く。このとき、先端のストッパ部材７が、薬液注入された領域Ｇｓに固定されているので、ストッパ部材７に結合され且つ緊張力が付与されたワイヤ２４が、外管２が引っ張られる力（引張り力）を受け持つので、水抜き管４自体が引っ張られることが無い。
【００６０】
また、水抜き管４が引っ張られないので、水抜き管４をソケット６にビス止めする必要が無い。二重管の外管２を引っ張る際に回転を加えても、ソケット６が空回りするので、当該回転が水抜き管４に加わることが無く、水抜き管４が捻じ切れてしまう事が防止される。
【００６１】
なお、水抜き管４に押し込み力を作用させる場合には、キャップ４０及び鋼管２２を介して押し込み力を負荷することができる。
【００６２】
次に図２６を参照して、薬液注入領域Ｇｓに先端が配置された水抜き管４内の鋼管２２の引き抜く。そのために、水抜き管４が鋼管２２とともに引き抜かれないための準備をする。鋼管２２を省略した構成（請求項１）を採用している場合には、上述した通り、鋼管２２の引抜きは不要である。
地盤Ｇの羽口Ｐに固定された水抜きボックスの板体４６に水抜き押さえ装置４５を付設し、バンド取付部５０の上部バンド５３及び下部バンド５２で水抜き管４を固定する。
次いで、図１９、２０に示した鋼管抜き取り部材６１を鋼管２２の端部の雄ねじ部２２ａに螺合締結させる。
【００６３】
次に図２７を参照して、鋼管抜き取り部材６１を機械Ｍａによって地盤Ｇの外部に引き抜く。引き抜き前に鋼管２２同士の連結を確実にするため、鋼管２２を時計方向に回転させる。
ワイヤ２４を省略している場合（請求項２の場合）には、鋼管２２の先頭部をストッパ部材７に逆ねじで螺合締結させているので、鋼管２２をさらに時計方向に回転させることにより、逆ねじの作用によって鋼管２２とストッパ７とを分離せしめ、（ストッパ７を切羽側先端に残存させた状態で）鋼管２２を引き抜くことができる。
最後に、鋼管抜き取り部材６１をはずして、水抜き管４の配設が完了する。
【００６４】
次に、本発明の第２実施形態を説明する。
第１実施形態における図１の水抜き管固定装置１の構成では、水抜き管４に作用する引っ張り力はワイヤが負担し、押圧力は鋼管が負担しているが、本第２実施形態では、鋼棒（好ましくはねじ付き鋼棒）が、水抜き管４に作用する引張り力、圧縮力の双方を負担している。本構成が請求項４に相当するものである。
第１実施形態と異なる部分を主として説明する。
【００６５】
図２８は、剛性部材の棒鋼（あるいは鋼管）２２Ａを示し、図２９では継ぎ手であるカプラ２８による連結の状態を側面図で示している。図３０はその正面図である。
【００６６】
図２９及び３０において、カプラ２８は棒鋼２２Ａよりやや大径な筒状に形成され、内径の両端部に楔２８Ａを打ち込み可能に構成されている。図２９における符号Ｆは楔２８Ａを打ち込む力である。
この状態で、鋼棒２２Ａを図１の鋼管２２及びワイヤ２４に代えれば、図１の機能がコスト安で確保される。
【００６７】
なお、棒鋼２２Ａを例えば半割した状態で交合させれば、回転の伝達が可能となる。但し、加工が面倒であり、現場作業には適さない恐れがある。
【００６８】
図３１は、棒鋼２２Ａの先端部にストッパ部材７に連結するジョイント部３６ｂが設けられた状態を示している。ジョイント部３６ｂに設けられた雌ねじ部３６ｃがストッパ部材７の雄ねじ部１３に螺合するように構成され、雌ねじ部３６ｃとストッパ部材７の雄ねじ部１３はともに反時計まわりの逆ねじに形成されている。
【００６９】
図３１の棒鋼２２Ａに図２９のようにカプラ２８を使用して長尺の状態にすれば、図１の鋼管２２及びワイヤ２４に代えれば、ストッパ部材７との結合を解除してネジ付き鋼棒を２２Ａを地盤中から引き抜くことが可能となり、当該ねじ付き鋼棒の再利用が可能になる。
【００７０】
上記第２実施形態では、外管２を回転しながら引き抜く際に作用する引っ張り力をねじ付き鋼棒２２Ａが受け持つので、水抜き管４には作用しない。そして、押し込み力を作用させる場合には、当該押し込み力もねじ付き鋼棒２２Ａが受け持つのである。
上記第２実施形態のその他の構成及び作用効果は、第1の実施形態の工法とほぼ同じである。
【００７１】
図示の実施形態はあくまでも例示であり、本発明の技術的範囲を限定する趣旨の記述ではない旨を付記する。
【図面の簡単な説明】
【００７２】
【図１】本発明の水抜き管配設工法に使用する水抜き管固定装置の主要部を示す側断面図である。
【図２】ストッパ部材の正面図である。
【図３】同上の側面図である。
【図４】ストッパ部材に取付けられるカバーの側面図である。
【図５】水抜き管の側断面図である。
【図６】ソケット（水抜き管の継ぎ手）の斜視側面図である。
【図７】ソケットと水抜き管の関係を示す側断面図である。
【図８】センタライザーの正面図である。
【図９】同上の側面図である。
【図１０】剛性部材（鋼管）の側面図である。
【図１１】ワイヤ緊張用の長ボルトの側面図である。
【図１２】キャップの側面図である。
【図１３】同上の正面図である。
【図１４】水抜き管抑え装置の側面図である。
【図１５】同上のバンド取付部の正面図である。
【図１６】同上の側面図である。
【図１７】上部バンドの正面図である。
【図１８】同上の側面図である。
【図１９】鋼管抜き取り部材の正面図である。
【図２０】同上の側面図である。
【図２１】本発明による水抜き管配設工法の２重管による地盤の削孔を示す側面図である。
【図２２】同上の止水薬液注入を示す側面図である。
【図２３】削孔された孔を洗浄し、内管を引き抜く状態を示す側面図である。
【図２４】水抜き管、鋼管およびワイヤをまとめる状態を示す側面図である。
【図２５】外管引き抜きを示す側面図である。
【図２６】鋼管引き抜き用バンドの取付け状態を示す側面図である。
【図２７】鋼管を引き抜いた状態を示す側面図である。
【図２８】鋼管の別の形態を示す側面図である。
【図２９】鋼管のカプラ（継ぎ手）を示す側断面図である。
【図３０】同上の正面図である。
【図３１】ねじ部付き剛性部材の側面図である。
【図３２】従来の水抜き管を示す側面図である。
【図３３】同上の正面図である。
【符号の説明】
【００７３】
Ｇ・・・地盤
Ｇｓ・・・薬液注入領域（地盤止水強化領域）
Ｃ・・・環状空間
１・・・水抜き管固定装置
２・・・外管
３・・・２重管
４・・・水抜き管
５・・・水路
６・・・ソケット
７・・・ストッパ部材
８・・・管部
８ａ・・・フランジ部
９・・・羽根部
１０・・・孔
１１・・・フック座
１２・・・回動フック
１３・・・雄ねじ部
１４・・・雌ねじ部
１５・・・カバー
１６・・・蓋
１７・・・孔
２２・・・剛性部材（ガイド鋼管）
２４・・・線状部材（ワイヤ）
２６・・・長ボルト
２６ａ・・・ねじ部
２７・・・頭部
２７ａ・・・座
３２・・・回動フック
３７・・・センタライザー
３８・・・輪部
３９・・・羽根部
４０・・・キャップ
４１・・・フランジ
４２・・・孔
４５・・・水抜き管抑え装置
４６・・・止水ボックスの板体
４７・・・筒体
４８・・・フランジ
５０・・・バンド取付部
５２・・・下部バンド
５３・・・上部バンド
６１・・・（鋼管）抜取り部材
【図１】
2006283484.tif 000003
【図２】
2006283484.tif 000004
【図３】
2006283484.tif 000005
【図４】
2006283484.tif 000006
【図５】
2006283484.tif 000007
【図６】
2006283484.tif 000008
【図７】
2006283484.tif 000009
【図８】
2006283484.tif 000010
【図９】
2006283484.tif 000011
【図１０】
2006283484.tif 000012
【図１１】
2006283484.tif 000013
【図１２】
2006283484.tif 000014
【図１３】
2006283484.tif 000015
【図１４】
2006283484.tif 000016
【図１５】
2006283484.tif 000017
【図１６】
2006283484.tif 000018
【図１７】
2006283484.tif 000019
【図１８】
2006283484.tif 000020
【図１９】
2006283484.tif 000021
【図２０】
2006283484.tif 000022
【図２１】
2006283484.tif 000023
【図２２】
2006283484.tif 000024
【図２３】
2006283484.tif 000025
【図２４】
2006283484.tif 000026
【図２５】
2006283484.tif 000027
【図２６】
2006283484.tif 000028
【図２７】
2006283484.tif 000029
【図２８】
2006283484.tif 000030
【図２９】
2006283484.tif 000031
【図３０】
2006283484.tif 000032
【図３１】
2006283484.tif 000033
【図３２】
2006283484.tif 000034
【図３３】
2006283484.tif 000035